(57)【要約】【課題】縁部をミシン目に沿って引き裂くことで開封する封筒において、開封の容易性と確実性とを向上させる。【手段】封筒の開封部は表シート２と上部折り片シート７と裏シート３とで構成されており、上部折り片シート７は裏シート３に接着されている。そして、表シート２と裏シート３とには１条のみミシン目１４，１５が刻設されており、上部折り片シート７には平行に延びる３条のミシン目１６ａ〜１６ｃが刻設されている。裏シート３のミシン目１５が上部折り片シート７のミシン目エリア１９に必ず重なるため、裏シート３と上部折り片シート７とは確実かつ正確に引き裂かれる。【選択図】図５
2008290734.tif 000002
【特許請求の範囲】
【請求項１】
重なり合った複数枚のシートで縁部が構成されており、前記各シートに、当該各シートの縁部を重なった状態のまま帯状に切り離して開封するためのミシン目が縁辺と平行に延びるように形成されている、という封筒であって、
前記複数枚のシートのうち少なくとも１枚のシートに複数条のミシン目が形成されている、
封筒。                                                                  
【請求項２】
第１折り目を介して繋がった表シート及び裏シートを備えており、前記表シートには、前記第１折り目と直交した方向に延びる第２折り目を介して一対の折り片シートが繋がっており、前記一対の折り片シートと裏シートとを接着することにより、第１折り目と直交した方向に開口した袋体になっており、
更に、前記表シートのうち第１折り目と反対側の部位には、前記第１折り目と平行に延びる第３折り目を介して蓋片シートが一体に連続しており、内容物を封入してから前記蓋片シートを裏シートに貼り付けることで封止されるようになっており、
かつ、前記表シートと裏シートと１つの折り片シートとの三者に、当該三者の縁部を引き離して開封するためのミシン目が第２折り目と略平行に延びるように形成されている、
という封筒であって、
前記表シートと裏シートと折り片シートとのうち少なくとも一つに複数状のミシン目が形成されている、
封筒。
【請求項３】
前記表シートと裏シートとには、展開した状態で直線状に連続する１条のミシン目が形成されている一方、前記折り片シートには、第２折り目を挟んで表シートのミシン目と対称に配置された第１ミシン目と、この第２ミシン目を挟んだ両側に配置された２条の第２ミシン目とが形成されている、
請求項２に記載した封筒。
【発明の詳細な説明】
【技術分野】
【０００１】
本願発明は、縁部に開封用ミシン目が形成されている簡易開封方式の封筒に関するものである。ここで、封筒とは、表裏のシートを備えていて内部に物品を収納できるものを広く含んでおり、従って、本願発明では扁平に畳まれる包装袋も封筒の概念に包含される。
【背景技術】
【０００２】
封筒において、刃物を使用することなく開封できるように縁部に開封用のミシン目を形成したものが知られている。封筒は表部と裏部とが折り目を介して連続しており、ミシン目を利用した簡易開封方式には、表部と裏部との縁部を重なり合ったまま帯状に引き離す（切除する）方式と、裏部に２条のミシン目を形成して、裏部のうち２条のミシン目の間の帯状の部分を引き離す方式とがある（紐体を利用して封筒の縁部を切り裂く方式もある。）。
【０００３】
前者のように表部と裏部との縁部を一緒に引き離す方式の例が特許文献１〜６に開示されている。本体の封入部に封緘用の蓋片が折り目を介して一体に設けられた構成になっているが、特許文献１〜３は本体と蓋片とにミシン目を形成しており、従って、内容物の挿入口と取り出し口とは同じになっている。
【０００４】
他方、特許文献４，６は本体のうち蓋片とは異なる部分にミシン目を形成しており、従って、内容物の挿入口と取り出し口とは相違している。また、特許文献５には、四角形の封筒の周縁部のうち連続した２辺又は３辺の箇所にミシン目を形成することが開示されている。
【特許文献１】実公昭１３−１２４８０号公報
【特許文献２】実開昭５３−３９１１３号公報
【特許文献３】特開昭５３−８７８７２号公報
【特許文献４】特公昭４７−３９７８７号公報
【特許文献５】実開昭５６−３２０５１号公報
【特許文献６】特開平７−２９１２９９号公報
【発明の開示】
【発明が解決しようとする課題】
【０００５】
封筒は一般に１枚のシート（紙）からなっており、展開した状態に打ち抜いてから所定の折り目に沿って折り返して、所要箇所を糊付けすることで一辺を開口させた状態に製造している。開封用のミシン目は、展開した状態で切り込み形成する場合と、貼り合わせた後に切り込み形成する場合とがある。そして、特許文献１〜６のように封筒の縁部をまるごと切除するタイプではミシン目は表部と裏部との両方に１条ずつ形成されており、ミシン目の箇所に沿って表部と裏部とを引き裂くことで開封している。
【０００６】
しかし、縁部をまるごと切除するタイプの封筒において、ミシン目の箇所を引き裂きにくくて、開封（引き裂き）に強い力を要したり、裂け目がミシン目とは異なった方向に走って封筒が裂けてしまったりすることがあった。
【０００７】
本願発明は、この問題を解消した封筒を提供することを課題とするものである。
【課題を解決するための手段】
【０００８】
既述のように、縁部をまるごと切除するタイプの従来の封筒は開封の容易性・確実性に劣っていたが、その原因を本願発明者が研究したところ、重なり合ったシートのミシン目が横ずれしていることに起因していることが判明した。
【０００９】
つまり、ミシン目を利用した開封は、切り込みの列を形成することにより、シートの引き裂き強度を弱めると共に引き裂きの方向性を付与しているものであり、そこで、展開状態でミシン目を形成する場合、各シートのミシン目は封筒になった状態で重なり合うように位置が設定されているのであるが、例えば実際の折り目が設計位置から僅かにずれることによって重なり合ったシートのミシン目が横ずれしてしまい、すると、引き裂きに際しての力が切り込みと切り込みとの間のブリッジ部に集中せず、その結果、切り裂きにくく（開封しにくく）なったりミシン目とは異なる方向に裂けてしまったりするのであった。
【００１０】
この点については、封筒として完成させた後にミシン目を切り込み形成すれば良いと考えられるが、この方法では、ミシン目を形成するに際して工具の刃が封筒の一方の面から他方の面に抜けるため、ミシン目の切り込みの箇所に一種のバリ又はケバが表れる現象が生じる問題や、接着された２枚のシートにミシン目を形成する場合には、工具の刃で糊が一方のシートに押し込まれてしまい、糊が一種の補強剤の役割を果たして却って引き裂きにくくなる問題があった。本願発明者はこのような知見に基づき、本願発明を完成させるに至った。
【００１１】
請求項１の発明は、重なり合った複数枚のシートで縁部が構成されており、前記各シートに、当該各シートの縁部を重なった状態のまま帯状に切り離して開封するためのミシン目が縁辺と平行に延びるように形成されている、という封筒であって、前記複数枚のシートのうち少なくとも１枚のシートに複数条のミシン目が形成されている、という点を特徴にしている。
【００１２】
なお、本願発明において「重なり合った」とは、接着や融着によって一体化している場合と、接着等で固定されることなく密着可能な状態で対向している場合との両方を含んでいる。また、「折り目」は折り線や折り目部と呼ぶことも可能である。更に、「ミシン目」はミシン線や切り線、破断線といった別名で呼ぶことも可能である。
【００１３】
請求項２の発明に係る封筒は、まず、大きな構成として、第１折り目を介して繋がった表シート及び裏シートを備えており、前記表シートには、前記第１折り目と直交した方向に延びる第２折り目を介して一対の折り片シートが繋がっており、前記一対の折り片シートと裏シートとを接着することにより、第１折り目と直交した方向に開口した袋体になっている。「折り片シート」は糊付け用フラップと表現することも可能である。
【００１４】
更に、請求項２では、前記表シートのうち第１折り目と反対側の部位には、前記第１折り目と平行に延びる第３折り目を介して蓋片シートが一体に連続しており、内容物を封入してから前記蓋片シートを裏シートに貼り付けることで封止されるようになっており、かつ、前記表シートと裏シートと１つの折り片シートとの三者に、当該三者の縁部を引き離して開封するためのミシン目が第２折り目と略平行に延びるように形成されている。
【００１５】
そして、請求項２では、特徴として、前記表シートと裏シートと折り片シートとのうち少なくとも一つに複数状のミシン目が形成されている。なお、「蓋片シート」は封緘片や蓋フラップといった名で呼ぶことも可能である。
【００１６】
更に請求項３の発明は、請求項２において、前記表シートと裏シートとには、展開した状態で直線状に連続する１条のミシン目が形成されている一方、前記折り片シートには、第２折り目を挟んで表シートのミシン目と対称に配置された第１ミシン目と、この第２ミシン目を挟んだ両側に配置された２条の第２ミシン目とが形成されている。
【発明の効果】
【００１７】
本願発明は、重なり合ったシートのうち少なくとも１枚のシートに複数条のミシン目を形成していることが特徴であるが、この構成の下では、複数条のミシン目を形成しているシートはミシン目の箇所で引き裂きかれ易くなっていると共に、例えば実際の折り目が設計位置よりずれても重なり合ったシートのミシン目の横ずれが防止又は著しく抑制されることになり、その結果、開封の容易性・確実性を格段に向上させることができる。すなわち、封筒の縁部は、軽い力でかつミシン目の方向に沿って確実に引き裂かれる。
【００１８】
封筒が薄紙製の場合のようにシートの厚さが薄くて腰が弱い場合は、請求項３のように、１枚のシートのみに複数条のミシン目を形成するのが好適であり、また、折り片シートに３条のミシン目を形成すると、折り片シートの折り目がどちらにずれても裏シートのミシン目は折り片シートのミシン目エリアに必ず重なるため、特に好適である。
【００１９】
なお、特許文献４の第９図では表裏のシートに２条ずつのミシン目が形成されているかのように表示しているが、この第９図の実施例は、エンボス加工によって棒状の線を形成する第１実施例（第１〜第３図）を袋に適用したものであり、エンボス加工によって突出した部分の峰部のみの端面を表示したため、恰も穴があるかのように表示されている（第９図は正確には第８図の「端面図」であると解される。）。従って、特許文献４は本願発明を示唆するものではない。
【発明を実施するための最良の形態】
【００２０】
次に、本願発明の実施形態を図面に基づいて説明する。第１実施形態は図１〜図６に示しており、第２実施形態以下は図７以下に示している。以下、第１実施形態から順に説明する。第１実施形態は薄紙製封筒に適用している。
【００２１】
(1).第１実施形態の基本構造
第１実施形態は長方形の封筒に適用しており、図１のうち（Ａ）は封止前の状態での表面側の斜視図、（Ｂ）は開封途中の状態での表面側の斜視図、図２のうち（Ａ）は封止前の状態での裏面側の斜視図、（Ｂ）は開封途中の状態での表面側の斜視図、図３のうち（Ａ）は展開状態での裏面図、（Ｂ）は（Ａ）の部分拡大図、図４は図３の（Ａ）の部分拡大図、図５は封止状態での一部破断部分図、図６は図５のVI−VI視拡大断面図である。なお、図６ではハッチングは部分的にしか表示していないが、実際は全体が切断面になっている。
【００２２】
本実施形態は封筒の基本構成は特許文献６と同じであり、縦長姿勢で使用し、内容物は横から入れて上から取り出すようになっている。そこで、便宜的に、構造を説明するにおいて、縦長姿勢を基準にして上下・左右の文言を使用する。
【００２３】
例えば図３（Ａ）から容易に理解できるように、本実施形態の封筒は、大きな構成要素として、縦長の第１折り目１を介して左右に繋がった表シート２及び裏シート３を備えており、表シート２の外形が封筒の外形を構成している。表シート２の上下中途高さ部位には透明フィル４を貼った窓穴５が空いており、内容物に印刷した住所が窓穴５を介して露出している。なお、窓穴５を設けずに表シート２に宛て先を印刷又は記入しても良いことは言うまでもない。
【００２４】
表シート２の上端には、前記第１折り目１と直交した方向に延びる上部第２折り目６を介して上部折り片シート７が連続しており、表シート２の下端には、第１折り目１と直交した方向に延びる下部第２折り目８を介して下部折り片シート９が連続している。上下折り片シート７，９のうち裏シート３と反対側の側面は円弧状に湾曲しており、上下折り片シート７，９のうち裏シート３に近い側の側面は傾斜状にカットされている。
【００２５】
裏シート３は、上下高さ及び左右幅寸法とも表シート２のそれよりもやや小さい寸法になっており、上部と下部は、折り返した上下折り片シート７，９に重なる糊代部１０になっている。従って、折り返した上下折り片シート７，９の外面に裏シート３を糊代部１０の糊で接着することにより、一側面を開口させた封筒が構成されている。表シート２のうち裏シート３と反対側の側縁には、封止用の蓋片シート１１が第３折り目１２を介して一体に繋がっている。
【００２６】
蓋片シート１１の裏面の端部には、裏シート３に重なるように水溶性糊１３が帯状に塗工されている。敢えて述べるまでもないが、内容物を挿入してから蓋片シート１１を折り返して裏シート３に接着することで封筒は封止される。なお、蓋片シート１１には必ずしも糊１３を塗工しておく必要はなく、ユーザーが糊付けすることも可能であり、或いは、蓋片シート１１を粘着テープで裏シート３に固定することも可能である。
【００２７】
(2).ミシン目の構成
既述のとおり、封筒はその上部を帯状に切除して（引き離して）開封するようになっており、そこで、表シート２と裏シート３と上部折り片シート７とには、上部第２折り目６と平行に延びる開封用のミシン目が切り込み形成されている。すなわち、図３〜６に示すように、表シート２には１条（１本）の表部ミシン目１４が形成されて、裏シート３には１条（１本）の裏部ミシン目１５が形成されており、更に、上部折り片シート７には、第１中間ミシン目１６ａとこれを挟んで配置された第２中間ミシン目１６ｂ及び第３中間ミシン目１６ｂとが形成されている。これら第１〜第３の中間ミシン目１６ａ〜１６ｃが請求項３に記載した第１〜第３ミシン目に対応している。
【００２８】
表部ミシン目１４と裏部ミシン目１５とは展開状態で一直線に延びているが、両ミシン目１４，１５は第１折り目１と直交した方向に延びているため、封筒に組み立てた状態では、表部ミシン目１４と裏部ミシン目１５とは全く又は殆どずれることなく重なり合っている（勿論、僅かの誤差は有り得る）。
【００２９】
第１中間ミシン目１６ａは、設計上では上部第２折り目６を挟んで表部ミシン目１４（及び裏部ミシン目１５）と対称の位置に形成されている。従って、上部折り片シート７が設計とおりに折り返された場合は、封筒として組立られた状態で第１中間ミシン目１６ａと表部ミシン目１４と裏部ミシン目１５とは封筒の正面視で一直線状に重なることになる。本実施形態では、蓋片シート１１の上部は表部ミシン目１４及び裏部ミシン目１５の上方に位置しているので、蓋片シート１１の上部にも、展開状態で表部ミシン目１４及び裏部ミシン目１５と一直線状に延びる蓋部ミシン目１７を形成している。
【００３０】
なお、ミシン目１４〜１７は切り込みを飛び飛びに形成することで構成されており、従って、各ミシン目は、多数の切り込みの群と、隣り合った切り込みの間に残ったブリッジ部の群とでミシン目が構成されていると言えるが、本実施形態の図面では、便宜的に切り込みをミシン目１４〜１７として指している。
【００３１】
本実施形態では、切り込みの幅寸法Ｗ１及び隣り合った切り込み間の間隔寸法Ｗ２（ブリンジ部の寸法）は、各ミシン目１４〜１７で同じに設定している（勿論、互いに異ならせても良い。）。実寸としては、例えばＷ１は１〜２ｍｍ、Ｗ２は０．５〜１．０ｍｍに設定している。また、上部折り片シート７においては、第１中間ミシン目１６ａは第２中間ミシン目１６ｂ及び第３中間ミシン目１６ｃに対してパターンが半ピッチだけ長手方向にずれている。また、表部ミシン目１４及び裏部ミシン目１５は、第１中間ミシン目１６ａに対してパターンを長手方向に半ピッチ程度ずらしている。
【００３２】
第１中間ミシン目１６ａと第２中間ミシン目１６ｂ及び第３中間ミシン目１６ｃとの間隔寸法Ｅ１，Ｅ２は任意に設定できるが、例えば１．０ｍｍ程度で良い。Ｅ１とＥ２を異ならせることも可能である。また、各ミシン目１４〜１７を形成するに当たっては、工具の刃はできるだけ薄いのが良いと言える（糊が切り込みに進入することを防止するためである。）。各ミシン目１４〜１７を形成するに当たっては、封筒となした状態で外側となる側から内面となる側に向かって刃が入るように設定している（封筒に製造した状態でバリやケバの露出を防止するためである。）。
【００３３】
図面では表示していないが、表シート２と裏シート３とには、ミシン目１４〜１７の位置を示すためのミシン目状の目印が印刷されている（実際のミシン目と紛らわしいため図には表示していない。）。
【００３４】
(3).まとめ
以上の構成において、封筒は各ミシン目１４〜１７を挟んで外側の部分が帯状の切り離し部（切除部）１８になっており、切除部１８の右端又は左端を指で摘んで外側に引っ張ることにより、封筒はミシン目１４〜１７で構成された切り取り線に沿って引き裂かれ、これによって開封される。なお、開封に先立って切除部１８を表裏に何回か折り返すと、ミシン目１４〜１７で構成された切り取り線の箇所が弱化すると共に切り離しの方向性がより的確に付与されて好適である。
【００３５】
ところで、上部折り片シート７を折り返すに当たって、材料を送るに際してのズレ等の様々の原因により、上部折り片シート７の実際の折り目が設計上の折り目とずれてしまうことは避けられない。そして、上部折り片シート７にミシン目が１本しかない場合、折り目がずれると、上部折り片シート７の折り目と裏シート３の裏部ミシン目１５とが上下にずれてしまい、すると、開封のための力が分散してしまうため開封に大きな力を要し、しかも、切り裂きの方向が不安定になって封筒が内側に向けて破れることがある。特に、裏シート３と上部折り片シート７とは接着によって一体化していて糊が補強剤の役割を果たしているため、より一層切り裂きにくくて破れ易くなっている。
【００３６】
これに対して本実施形態では、上部折り片シート７に３条の中間ミシン目１６ａ〜１６ｃが存在することにより、上部折り片シート７の引き裂き強度が弱くなっていると共に切り裂きの方向性が強く付与されており、しかも、上部折り片シート７の折り目がずれても、裏部ミシン目１５は第２中間ミシン目１６ｂと第３中間ミシン目１６ｃとで挟まれたミシン目エリア１９に重なっており、このように、上部折り片シート７の引き裂き強度が低くなっていることと、裏部ミシン目１５が上部折り片シート７のミシン目エリア１９に必ず重なることとの相乗作用により、引き裂きの力がミシン目を構成するブリッジ部に集中的に作用することになり、その結果、封筒を軽い力で正確に開封することができる。
【００３７】
本願発明者が試作したところ、上部折り片シート７の折り目がずれていても、上部折り片シート７は主に第１ミシン目１６の箇所で千切れることが判明した。これは、第１中間ミシン目１６ａにおけるブリッジ部１６′が第２中間ミシン目１６ｂの切り込みと第３中間ミシン目１６ｃの切り込みとで挟まれていることにより、第１中間ミシン目１６ａの箇所が強度的に弱くなっており、このため、開封に際しての引っ張り力が第１中間ミシン目１６ａの箇所に集中するためと推測される。
【００３８】
また、第１中間ミシン目１６ａと裏部ミシン目１５とは刻設位置がずれているが、かかるずれにより、第１中間ミシン目１６ａのブリッジ部１６′と裏部ミシン目１５のブリッジ部１５ａとが交互に千切れることになり、これによっても、開封の容易性・確実性が確保されていると共に、第１中間ミシン目１６ａの箇所で千切れ易くなっていると推測される。なお、封筒のうちミシン目１４〜１７で構成される切り取り線の両端の箇所に横向き開口したＶ溝のような開封案内手段を設けることも可能である。
【００３９】
ところで、上部折り片シート７の中間ミシン目が１条しかなくても、上部折り片シート７を正確な位置で折り返せば開封の容易性と確実性はアップすると解され、そのためには、例えば、トムソンを使用して折り目用の切り込みを形成したり切り込み刃を使用してミシン目を形成することが考えられる。
【００４０】
しかし、このように切り込みやミシン目を形成するのはコストアップに繋がるのみならず、上部折り片シート７の腰が弱くなって高速での送りがスムースに行われないトラブルが発生する虞がある。これに対して本実施形態は、実施形態に３本の中間ミシン目１６ａ〜１６ｃを形成するだけであるため、加工コストが嵩んだり実施形態の腰が過度に弱くなったりすることはない。
【００４１】
(4).第２〜第６実施形態（図７）
裏シート３と表シート２と上部折り片シート７とのミシン目の配置は様々に具体化できる。そのパターンの例を図７で幾つか示している。このうち（Ａ）に示す第２実施形態は、表部ミシン目１４と裏部ミシン目１５とを３条ずつ形成して中間ミシン目１６は１条だけ形成している。（Ｂ）に示す第３実施形態では、表部ミシン目１４と裏部ミシン目１５とは２条ずつ形成して中間ミシン目１６は３条形成している。
【００４２】
（Ｃ）に示す第４実施形態では、表部ミシン目１４と裏部ミシン目１５とは１条ずつ形成して中間ミシン目１６は２条形成している。（Ｄ）に示す第５実施形態では、表部ミシン目１４を２条、裏部ミシン目１５を１条、中間ミシン目１６を３条形成している。（Ｅ）に示す第６実施形態では、表部ミシン目１４を１条、裏部ミシン目１５を２条、中間ミシン目１６を３条形成している。
【００４３】
この図７から容易に理解できるように、重なるように配置された表シート２と裏シート３と上部折り片シート７との各シートには、少なくともいずれか１つに複数条のミシン目を形成することを条件として、具体的な定数は任意に設定できるのであり、かつ、いずれも第１実施形態と同様の効果が発揮される。１つのシートに形成される複数条のミシン目は、第１実施形態の中間ミシン目と同様に、少なくとも１条と他の条とを長手方向にずらすのが好ましい。
【００４４】
また、ミシン目を複数条形成する場合、複数条のミシン目がシートの全長にわたって延びている必然性はないのであり、例えば、第１実施形態を例にとると、第１中間ミシン目１６ａは全長に延びていて第２ミシン目１６ｂと第３ミシン目１６ｃとは左端部と右端部のみに形成されている、といった構成を採用することも可能である。
【００４５】
(5).第７実施形態（図８）
図８は、特許文献１のように蓋片シートにミシン目を形成したものに適用している。すなわちこの封筒は、表シート２とその左右両端に第１折り目１を介して繋がった左右の裏シート３ａとで本体が構成されており、表シート２の上端に第３折り目１２を介して蓋片シート１１が繋がっているタイプにおいて、表シート２と裏シート３ａ，３ｂとに３条ずつのミシン目１４，１５を形成する一方、蓋片シート１１には、１条の蓋部ミシン目２１を形成している。左右の裏シート３はその先端部が接着されている。
【００４６】
(6).第８〜１０実施形態（図９）
図９では、内袋２３と外袋２４とで二重構造になっている封筒に適用している。内袋２３と外袋２４とはそれぞれ一体構造になっており、折り目２５を含む一側部はミシン目で境界付けられる切り離し部１８になっている（各図は断面図であり、ハッチングは部分的にしか表示していない。）。
【００４７】
そして、ミシン目の具体的な配置例として、（Ａ）の第８実施形態では、外袋２４に１条の外ミシン目２６を形成し、内袋２３に３条の内ミシン目２７を形成している。（Ｂ）の第９実施形態では、外袋２４に２条の外ミシン目２６を形成して内袋２３にも２条の内ミシン目２７を形成している。更に、（Ｃ）の第１０実施形態では、外袋２４に１条の外ミシン目２６を形成し、内袋２３に２条の内ミシン目２７を形成している。
【００４８】
(7).第１１実施形態（図10）
図１０では、表シート２と裏シート３との縁部を溶着又は接着してなる封筒に適用している。この実施形態では、表シート２には１条の表ミシン目２８を形成して裏シート３には２条の裏ミシン目２９を形成している。
【００４９】
(8).その他
本願発明は上記の実施形態の他にも様々に具体化できる。例えば封筒の素材は紙には限らず、樹脂フィルム又は積層材など様々のものを使用できる。形状や大きさに限定がないことは言うまでもない。また、ミシン目は封筒の複数の辺に沿って形成することも可能である。
【図面の簡単な説明】
【００５０】
【図１】第１実施形態の封筒を表側から見た斜視図である。
【図２】第１実施形態の封筒を裏側から見た斜視図である。
【図３】封筒の展開状態の裏面図である。
【図４】図４（Ａ）の部分拡大図である。
【図５】封止状態での封筒の部分的な一部破断裏面図である。
【図６】図５のVI−VI視拡大断面図である。
【図７】第２〜第６実施形態を示す図である。
【図８】第７実施形態を示す図である。
【図９】第８〜１０実施形態を示す図である。
【図１０】第１１実施形態を示す図である。
【符号の説明】
【００５１】
１  第１折り目
２  表シート
３  裏シート
６  第２折り目
７  上部折り片シート
１１  蓋片シート
１２  第３折り目
１４  表部ミシン目
１５  裏部ミシン目
１６，１６ａ〜１６ｃ  中間ミシン目
１７  蓋部ミシン目
１８  切り離し部
【図１】
2008290734.tif 000003
【図２】
2008290734.tif 000004
【図３】
2008290734.tif 000005
【図４】
2008290734.tif 000006
【図５】
2008290734.tif 000007
【図６】
2008290734.tif 000008
【図７】
2008290734.tif 000009
【図８】
2008290734.tif 000010
【図９】
2008290734.tif 000011
【図１０】
2008290734.tif 000012